(57)【要約】【課題】コンタクトを交換のための作業を容易に行えるコネクタを提供すること。【解決手段】第１コンタクト３の接触部３３の一方面３３ａには、相手側コンタクトが接触し、前記接触部３３の他方面３３ｂと第２コンタクト部５とが対向しており、第１及び第２コンタクト部３，５のうちの一方は、他方に弾性接触する接触バネ部３７を有し、インシュレータ７は、前記第１コンタクト部３を挿入して収容する挿入方向Ａ及び抜去方向Ｂに開放しているコンタクト収容部７５，７７，７９と、前記相手側コンタクトを前記一方面３３ａに接触させる窓部８５とを有している。【選択図】      図１
2005005097.tif 000002
【特許請求の範囲】
【請求項１】
導電性のコンタクトと、該コンタクトを保持したインシュレータとを含むコネクタにおいて、
前記コンタクトは、前記インシュレータに着脱自在に保持されている第１コンタクト部と、接続対象物に接続する第２コンタクト部とを有し、
前記第１コンタクトは、導電性の相手側コンタクトに接触する接触部を有し、
前記第２コンタクトは、接続対象物に接続する端子部を有し、
第１コンタクト部及び第２コンタクト部が別体なものであり、前記接触部の一方面が前記相手側コンタクトに接触する接触面であり、前記接触部の前記一方面とは反対側の他方面と前記第２コンタクト部とが対向しており、
第１コンタクト部及び第２コンタクト部の少なくとも一方は、他方に弾性接触する接触バネ部を有し、
前記インシュレータは、前記第１コンタクト部及び前記端子部の先端部分を除く前記第２コンタクト部を収容するよう前記第１コンタクト部を前記インシュレータへ挿入して収容する挿入方向、及び該挿入方向と逆向きの抜去方向に開放しているコンタクト収容部と、前記接触部の前記一方面を露出させて前記相手側コンタクトを前記接触部の前記一方面に接触させるよう前記コンタクト収容部及び前記インシュレータの外側面間に形成した窓部とを有していることを特徴とするコネクタ。
【請求項２】
前記コンタクト収容部の壁面には、前記第１保持部に係合して前記挿入方向、及び前記抜去方向へ前記第１コンタクト部をガイドするガイド溝部が形成されていることを特徴とする請求項１記載のコネクタ。
【発明の詳細な説明】
【０００１】
【発明の属する技術分野】
本発明は、相手側コンタクトと接続対象物との間を接続するコネクタに属し、特に、携帯電話のような電子機器における電源接続に用いるコネクタに属する。
【０００２】
【従来の技術】
従来のコネクタとしては、図５に示すように、コネクタ２０１のハウジングがフロントハウジング部２１０とリアハウジング部２２０とによって二分割されているものがある。
【０００３】
フロントハウジング部２１０は、フロントハウジング部２１０に取り付けたフロントコンタクト部２３０が固定されている。フロントコンタクト部２３０には、先端に接続部２３１を形成するとともに後端側に弾性接触部２３２を設けている。この弾性接触部２３２の端には、下方に接触点２３３が形成されている。
【０００４】
リアハウジング部２２０は、リアハウジング部２２０に取り付けたリアコンタクト部２４０を介して基板２６０に固定されている。リアハウジング２２０には、ノイズフィルタ２５０を取り外し可能に収納し、その後に、フロントハウジング部２１０をリアハウジング部２２０に組み付けてある。
【０００５】
リアコンタクト部２４０は、基板２６０に形成されているスルーホール２６１に挿通させ、基板２６０の裏面で半田付けすることによって、リアハウジング部２２０を基板２６０上に固定されている。フロントコンタクト部２３０の接触点２３３とリアコンタクト部２４０の接触部２４２とは、これらを弾性接触させることによって、フロントコンタクト部２３０とリアコンタクト部２４０とが導通している（例えば、特許文献１参照）。
【０００６】
【特許文献１】
実開平５−１１８５号公報（第６−７頁、図１、図２）
【０００７】
【発明が解決しようとする課題】
しかしながら、フロントハウジング部２１０とリアハウジング部２２０とは、ネジによって一体に固定されているので、フロントハウジング部２１０に取り付けたフロントコンタクト部２３０に腐食や汚れなどの不備が生じた場合、フロントコンタクト部２３０の交換作業に手間がかかってしまうという問題がある。
【０００８】
即ち、フロントコンタクト部２３０の交換作業では、フロントコンタクト部２３０がフロントハウジング部２１０に対して着脱自在な構造とはなっていないので、フロントコンタクト部２３０を含むフロントハウジング部２１０を交換しなければならず、単に、フロントコンタクト部２３０のみを交換することが困難であるという問題がある。
【０００９】
また、フロントコンタクト部２３０のみを交換できることを想定しても、リアハウジング部２２０からフロントハウジング部２１０を取り外した後、フロントハウジング部２１０からフロントコンタクト部２３０を取り外して、新たなフロントコンタクト部２３０に交換しなければならないことから、交換作業が複雑になり組立後のフロントコンタクト部２３０の接触点２３３とリアコンタクト部２４０の接触部２４２との接触部分における位置精度を組立時に考慮しなければならず、組立作業に手間がかかるという問題がある。
【００１０】
それ故に本発明の課題は、腐食や汚れなどの不備があるコンタクトを容易に交換することができ、交換のための作業性を向上させることができるコネクタを提供することにある。
【００１１】
【課題を解決するための手段】
本発明によれば、導電性のコンタクトと、該コンタクトを保持したインシュレータとを含むコネクタにおいて、前記コンタクトは、前記インシュレータに着脱自在に保持されている第１コンタクト部と、接続対象物に接続する第２コンタクト部とを有し、前記第１コンタクトは、導電性の相手側コンタクトに接触する接触部を有し、前記第２コンタクトは、接続対象物に接続する端子部を有し、第１コンタクト部及び第２コンタクト部が別体なものであり、前記接触部の一方面が前記相手側コンタクトに接触する接触面であり、前記接触部の前記一方面とは反対側の他方面と前記第２コンタクト部とが対向しており、第１コンタクト部及び第２コンタクト部の少なくとも一方は、他方に弾性接触する接触バネ部を有し、前記インシュレータは、前記第１コンタクト部及び前記端子部の先端部分を除く前記第２コンタクト部を収容するよう前記第１コンタクト部を前記インシュレータへ挿入して収容する挿入方向、及び該挿入方向と逆向きの抜去方向に開放しているコンタクト収容部と、前記接触部の前記一方面を露出させて前記相手側コンタクトを前記接触部の前記一方面に接触させるよう前記コンタクト収容部及び前記インシュレータの外側面間に形成した窓部とを有していることを特徴とするコネクタが得られる。
【００１２】
【発明の実施の形態】
以下、本発明に係るコネクタの実施の形態例を説明する。図１は、コネクタの第１実施の形態例を示している。図２は、図１に示したコネクタを接続対象物としてのプリント配線基板のような基板に搭載し、コンタクトの組み付け作業の途中の状態を示している。
【００１３】
図１及び図２を参照して、コネクタ１は、導電性のコンタクト３，５と、コンタクト３，５を保持しているインシュレータ７とを有している。コンタクト３，５は、インシュレータ７に着脱自在に保持される第１コンタクト部３と、接続対象物としての基板１１（図２を参照）に接続する第２コンタクト部５とを有している。即ち、第１コンタクト部３と第２コンタクト部５とは、別体とすることによって二分割された形態でインシュレータ７に組み付けられている。
【００１４】
第１コンタクト部３及び第２コンタクト部５は、いずれも導電板をプレス打ち抜き加工を施すことによって長帯板形状の導電板とし、その後に曲げ加工を施すことによって作られている。
【００１５】
第１コンタクト部３は、インシュレータ７に保持する第１保持部３１と、第１保持部３１の一端から延びている第１接触部３３と、第１接触部３１の延在端から第１接触部３３に対して略直角になるように曲げられて延びている操作部３５と、第１保持部３１に対向するように第１保持部３１から曲げられて延在している接触バネ部３７とを有している。
【００１６】
第１接触部３３の一方面３３ａは、導電性の相手側コンタクト（図示せず）に接触する接触面である。第１保持部３１と接触バネ部３７との連結部分は、側面略Ｕ字形状に曲げられている部分である。接触バネ部３７は、第１接触部３３の一方面３３ａとは反対側の他方面３３ｂから離れる向きに弾性力をもつように、第１接触部３３の長手方向における中間部分にまで延びて第１接触部３３の他方面３３ｂに対向している。
【００１７】
第２コンタクト５は、インシュレータ７に保持する第２保持部５１と、第２保持部５１の一端から延びている第２接触部５３と、第２保持部５１の他端から曲げられてインシュレータの外へ延びている端子部５５とを有している。
【００１８】
第２接触部５３は、第１コンタクト部３の接触バネ部３３の他方面３３ｂに対向して接触する部分である。端子部５５は、第２保持部５１の他端から側面略直角な方向に曲げられて、さらに第２接触部５３と略平行な方向で第２接触部５３とは反対となる方向へ延びている。よって、第２コンタクト５は、側面から見ると略クランク形状を呈している。
【００１９】
インシュレータ７は、基板１１に搭載するものであり、基板１１に対向する搭載側の第１面７１と、第１面７１とは反対側の上面である第２面７３と、第１及び第２面７１，７３間を上下方向で貫通しているコンタクト収容部７５，７７，７９とを有している。
【００２０】
即ち、コンタクト収容部７５，７７，７９は、図２に矢印によって示した挿入方向Ａ及び挿入方向Ａとは逆向である抜去方向Ｂで第１及び第２面間で開放されている。コンタクト収容部７５，７７，７９には、第１コンタクト部３と、端子部５５の先端部分５５ａを除く第２コンタクト５が組み込まれている。端子部５５の先端部分は、インシュレータ７の第１面７１から外へ延びている。
【００２１】
コンタクト収容部７５，７７，７９は、インシュレータ７の第１及び第２面７１，７３間で縦方向に長い寸法に形成されている第１収容穴７５と、第１収容穴７５の上方に位置し第１収容穴７５に連通するように形成されている第２収容穴７７と、第１収容穴７５の下方に位置し第１収容穴７５に連通するように形成されている第３収容穴７９とを有している。さらに、インシュレータ７には、インシュレータ７の縦方向における外側面８３及び第１収容穴７５間を開口している窓部８５が形成されている。
【００２２】
第１収容穴７５には、第１コンタクト部３の第１保持部３１、第１接触部３３、及び接触バネ部３７が位置しており、第１コンタクト部３の操作部３５が第２収容穴７７へ向かって延びて位置している。また、第１収容穴７５には、第２コンタクト部５の第２保持部５１及び第２接触部５３が位置している。第３収容穴７９には、端子部５５が位置している。なお、上述したように、端子部５５の先端部分５５ａは、第３収容穴７９からインシュレータ７の第１面７１から外へ延びている。
【００２３】
第１コンタクト部３の第１接触部３３の長手方向における大部分は、第１接触部３３の一方面３３ａを窓部８５に対して露出した状態でインシュレータ７に組み付けられている。窓部８５は、相手側コンタクトを受け入れて相手側コンタクトを第１接触部３３の一方面３３ａに接触させるものである。
【００２４】
また、第１収容穴７５の壁面には、第１保持部３１に係合して、第１保持部３１を挿入方向Ａ及び抜去方向Ｂへガイドするガイド溝部８７が形成されている。第１収容穴７５の一方の壁面７５ａに対向している他方の壁面７５ｂには、第２コンタクト部５の第２保持部５１及び第２接触部５３が当接するように位置している。第１収容穴７５では、第１コンタクト部３の接触バネ部３７が第２コンタクト部５の第２接触部５３に弾性力をもって接触している。
【００２５】
さらに、インシュレータ７の第１面７１には、この第１面７１から突出している複数のボス部９１，９２，９３が設けられている。ボス部９１，９２，９３は、図２に示した基板１１に形成されている位置決め用の穴（図示せず）や、切り欠き部（図示せず）にそれぞれが挿入されてインシュレータ７を位置決めする。
【００２６】
以下、コネクタ１の組立作業について説明する。まず、基板１１には、第２コンタクト部５の端子部５５の先端部分５５ａを挿入方向へ挿入するスルーホール（貫通孔）１１ａが形成されている。端子部５５の先端部分５５ａは、スルーホール１１ａに挿入した後に、半田９５によって半田接続される。
【００２７】
第２コンタクト部５をコンタクト収容部７５，７７，７９に収容してインシュレータ７に組み付けた後には、端子部５５の先端部分５５ａが基板１１に設けられている導体パターン（図示せず）に半田接続される。その後、第１コンタクト部３は、第１保持部３１側を先方として第２収容穴７７からガイド溝部８７に挿入方向Ａで挿入され、操作部３５をさらに挿入方向Ａへ押圧し、移動させることによってガイド溝部８７に沿って第１コンタクト部３を押し下げる。この際、接触バネ部３７は、第１接触部３３側へ押されつつ第２接触部５３へ当接して摺接しつつ弾性力をもった状態で押込まれる。第１コンタクト部３は、第１収容穴７５の所定位置まで押し下げられるとガイド溝部８７に形成されているストッパー突部８７ａに付き当たり、それ以上の押圧が阻止される。
【００２８】
また、第１コンタクト部３に腐食や汚れなどの不備が生じた場合には、第１コンタクト部７を交換する必要がある。ここで、第１コンタクト部７は、操作部３５を抜去方向Ｂへ引き上げることによってインシュレータ７から引き抜く。そして、新たな第１コンタクト部３をインシュレータ７の第１収容穴７５へ挿入する組立作業によって交換が完了する。
【００２９】
図３は、コネクタの第２実施の形態例を示している。図４は、図３に示したコネクタを基板に搭載した状態を示している。なお、図３及び図４に示したインシュレータ、及び図４に示した基板は、図１及び図２に示した第１実施の形態例と略同じ構成であるため、同じ部分には同じ符号を付して説明を省略する。また、図１及び図２に示したインシュレータ７と、図３及び図４に示したインシュレータの形状とを比較すると、互いに少し形状が異なるが、インシュレータが同じ機能を果たすので同じ符号を付している。
【００３０】
図３及び図４を参照して、コンタクト１０３，１０５は、インシュレータ７に着脱自在に保持されている第１コンタクト部１０３と、基板１１（図４を参照）に接続する第２コンタクト部１０５とを有している。即ち、第１コンタクト部１０３と第２コンタクト部１０５とは、これらがコンタクト１０３，１０５を別体として二つに分割された形態でインシュレータ７に組み付けられている。
【００３１】
図３に示した第１コンタクト部１０３及び第２コンタクト部１０５は、いずれも導電板をプレス打ち抜き加工を施すことによって長帯板形状の導電板とし、その後に曲げ加工を施すことによって作られている。
【００３２】
第１コンタクト１０３は、インシュレータ７に保持する第１保持部１３１と、第１保持部の１３１一端から延びている第１接触部１３３と、第１接触部１３３の延在端から第１接触部１３３に対して略直角になるように曲げられて延びている操作部１３５とを有している。第１接触部１３３の一方面１３３ａは、導電性の相手側コンタクト（図示せず）に接触する部分である。
【００３３】
第２コンタクト１０５は、インシュレータ７に保持する第２保持部１５１と、第２保持部１５１に対向するように第２保持部１５１から曲げられて延在している接触バネ部１５７と、第２保持部１５１から曲げられてインシュレータ７の外へ延びている端子部１５５とを有している。
【００３４】
接触バネ部１５７の一方面１５７ａは、第１接触部１３３に対向して接触する部分である。端子部１５５は、第２保持部１５１から側面略直角となる方向に曲げられて、さらに第２保持部１５１と略平行となる方向で第２保持部１５１とは反対方向へ延びている。よって、第２コンタクト１０５は、接触バネ部１５７を除く部分が側面から見ると略クランク形状を呈している。
【００３５】
第２保持部１５１と接触バネ部１５７との連結部分は、側面略Ｕ字形状に曲げられている部分である。接触バネ部１５７は、第２保持部１５１とは離れる向きに弾性力をもつように、第１接触部１３３の他方面１３３ｂに対向し接触している。
【００３６】
インシュレータ７の第１収容穴７５には、第１コンタクト部１０３の第１保持部１３１、及び第１接触部１３３が位置しており、第１コンタクト部１０３の操作部１３５が第２収容穴７７に位置している。また、第１収容穴７５には、第２コンタクト部１０５の第２保持部１５１、及び接触バネ部１５７が位置している。第３収容穴７９には、端子部１５５が位置している。なお、上述したように、端子部１５５の先端部分１５５ａは、第３収容穴７９からインシュレータ７の第１面７１の外へ延びている。
【００３７】
第１コンタクト部１０３の第１接触部１３３の長手方向における大部分は、第１接触部１３３の一方面１３３ａを、インシュレータ７に形成されている窓部８５に露出した状態でインシュレータ７に組み付けられている。第１収容穴７５では、第２コンタクト部１０５の接触バネ部１５７が第１コンタクト部１０３の第１接触部１３３に弾性力をもった状態で接触している。
【００３８】
次に、第２実施の形態例におけるコネクタ１の組立作業を説明する。まず、第２コンタクト部１０５をコンタクト収容部７５，７７，７９に収容してインシュレータ７に組付けた後には、端子部１５５の先端部分１５５ａが半田９５によって半田接続される。その後、第１コンタクト部１０３は、第１保持部１３１側を先方として第２収容穴７７からガイド溝部８７に挿入され、操作部１３５を挿入方向Ａへ移動させることによって第１コンタクト部１０３がガイド溝部１３５に沿って挿入方向Ａへ押し下げる。この際、接触バネ部１５７は、第２保持部１５１側へ押されつつ第１接触部１３３へ当接し摺接しながら押込まれる。第１コンタクト部１０３は、第１収容穴７５の所定位置まで押し下げられるとガイド溝部８７に形成されているストッパー突部８７ａに付き当たり、それ以上の押圧が阻止される。
【００３９】
また、第１コンタクト部１０３に腐食や汚れなどの不備が生じた場合には、第１コンタクト部１０３を交換する必要がある。ここで、第１コンタクト部１０３は、操作部１３５を抜去方向Ｂへ引き上げることによってインシュレータ７から引き抜く。そして、新たな第１コンタクト部１０３をインシュレータ７へ組み付けることによって交換が完了する。
【００４０】
なお、第１及び第２実施の形態例では、接続対象物を基板１１として説明したが、基板１１に代わるケーブルとして、端子部５５，１５５の先端部分，５５ａ，１５５ａにケーブルを半田接続するコネクタにおいても適用できることは言うまでもない。
【００４１】
【発明の効果】
以上説明したように、本発明に係るコネクタによれば、インシュレータにコンタクトを二分割したコンタクト部を組み付け、インシュレータに着脱自在に保持されている一方のコンタクト部の接触部の一方面を相手側コンタクトに接触する接触面とし、接触部の一方面とは反対側の他方面と他方のコンタクト部とを対向させ、コンタクト部のいずれか一方の接触バネ部を、他方に弾性接触させる形態としてコンタクト収容部に収容するようにしたので、腐食や汚れなどの不備がある一方のコンタクトの交換のための作業を容易に行うことができる。
【図面の簡単な説明】
【図１】本発明に係るコネクタの第１実施の形態例を示す縦断面図である。
【図２】図１に示したコネクタを基板に搭載し、第１コンタクト部の組み付け作業の途中の状態を示す縦断面図である。
【図３】本発明に係るコネクタの第２実施の形態例を示す縦断面図である。
【図４】図３に示したコネクタを基板に搭載し、第１コンタクト部の組み付け作業の途中の状態を示す縦断面図である。
【図５】従来のコネクタを示す縦断面図である。
【符号の説明】
１    コネクタ
３，１０３    第１コンタクト部（コンタクト）
５，１０５    第２コンタクト部（コンタクト）
７    インシュレータ
１１    基板
１１ａ    基板のスルーホール
３１，１３１    第１保持部
３３，１３３    第１接触部
３５，１３５    操作部
３７，１５７    接触バネ部
３３ａ，１３３ａ    第１接触部の一方面
３３ｂ，１３３ｂ    第１接触部の他方面
５１，１５１    第２保持部
５３    第２接触部
５５，１５５    端子部
５５ａ，１５５ａ    端子部の先端部分
７１    インシュレータの第１面
７３    インシュレータの第２面
７５    第１収容穴（コンタクト収容部）
７７    第２収容穴（コンタクト収容部）
７９    第３収容穴（コンタクト収容部）
８５    窓部
８７    ガイド溝部
９５    半田
Ａ    挿入方向
Ｂ    抜去方向
【図１】
2005005097.tif 000003
【図２】
2005005097.tif 000004
【図３】
2005005097.tif 000005
【図４】
2005005097.tif 000006
【図５】
2005005097.tif 000007